(57)【要約】【課題】撮像範囲を監視しながら、入退出のカウント精度を充分に確保できる撮像装置、撮像システム、撮像制御プログラム、及びその撮像制御プログラムを格納する記録媒体を提供する装置を提供する。【解決手段】撮像装置３Ａ，３Ｃは、映像光学系３３Ａを介して撮像を行う撮像部３０Ａと、距離画像光学系３３Ａを介して撮像された画像を基に距離画像の生成を行う距離画像生成部３０Ｂと、撮像部により撮像される映像の画角と前記距離画像の画角とを設定する制御部４２と、を備える。【選択図】図３
2016063455.tif 000002
【特許請求の範囲】
【請求項１】
映像光学系を介して撮像を行う撮像部と、
距離画像光学系を介して撮像された画像を基に距離画像（ｄｅｐｔｈ  ｍａｐ）の生成を行う距離画像生成部と、
前記撮像部により撮像される映像の画角と前記距離画像の画角とを設定する制御部と、
を備える、撮像装置。
【請求項２】
前記制御部は、前記映像の画角と前記距離画像の画角とを異ならせて設定する、
請求項１に記載の撮像装置。
【請求項３】
前記制御部は、前記距離画像の画角を前記映像の画角の内側に設定する、
請求項２に記載の撮像装置。
【請求項４】
前記映像光学系の光軸と前記距離画像光学系の光軸とは同一である、
請求項１乃至請求項３のいずれかに記載の撮像装置。
【請求項５】
前記映像光学系の光軸と前記距離画像光学系の光軸とは平行である、
請求項１乃至請求項３のいずれかに記載の撮像装置。
【請求項６】
前記制御部は、前記映像と前記距離画像との対応付け処理部をさらに備える、
請求項１乃至請求項５のいずれかに記載の撮像装置。
【請求項７】
前記制御部は、前記映像及び前記距離画像から距離メタ情報を生成する、
請求項１乃至請求項６のいずれかに記載の撮像装置。
【請求項８】
前記制御部が生成した前記距離メタ情報と、前記映像及び前記距離画像とを対応付けて記憶させる記憶部をさらに備える、
請求項７に記載の撮像装置。
【請求項９】
撮像対象の室内の出入口近傍の上部に設けられる請求項１乃至請求項６のいずれかに記載の撮像装置であって、
前記室内の出入口面及び床面と平行をなす方向から見た前記映像光学系及び前記距離画像光学系の光軸が前記室内の出入口における前記床面の法線方向に対して前記室内の側に傾けられて配置される、
撮像装置。
【請求項１０】
前記制御部は、前記室内の出入口面及び前記床面と平行をなす方向から見た前記映像の画角と、前記室内の出入口面及び前記床面と平行をなす方向から見た前記距離画像の画角とを、異ならせて設定する、
請求項９に記載の撮像装置。
【請求項１１】
前記制御部は、前記映像の画角の中心を、前記距離画像の画角の中心よりも前記室内の側に傾けて設定する、
請求項１０に記載の撮像装置。
【請求項１２】
前記制御部は、前記映像の画角の中心を、前記距離画像の画角の中心よりも前記室内とは反対側に傾けて設定する、
請求項１０に記載の撮像装置。
【請求項１３】
前記制御部は、前記距離画像の画角の中心を、前記室内の前記出入口における前記床面の法線方向に、又はそれよりも前記室内の側に傾けて設定する、
請求項１１に記載の撮像装置。
【請求項１４】
前記制御部は、前記距離画像の画角の中心を、前記室内の前記出入口における前記床面の法線方向に、又はそれよりも前記出入口とは反対側に傾けて設定する、
請求項１２に記載の撮像装置。
【請求項１５】
前記制御部は、前記距離画像の画角を、前記映像の画角よりも狭く設定する、
請求項１１乃至請求項１４のいずれかに記載の撮像装置。
【請求項１６】
前記制御部は、前記距離画像の画角を前記映像の画角の内側に設定する、
請求項１０乃至請求項１５のいずれかに記載の撮像装置。
【請求項１７】
請求項１乃至請求項１６のいずれかに記載の撮像装置であって、
前記距離画像を用いて画像処理を行う、撮像装置。
【請求項１８】
請求項１乃至請求項１６のいずれかに記載の撮像装置であって、
前記映像及び前記距離画像を連携させて画像処理を行う、撮像装置。
【請求項１９】
請求項１７又は請求項１８のいずれかに記載の撮像装置であって、
前記画像処理の結果を外部へ伝送する通信部をさらに備える、撮像装置。
【請求項２０】
請求項１７又は請求項１８のいずれかに記載の撮像装置であって、
前記撮像装置の設置高さを前記距離画像から得て画像処理を行う、撮像装置。
【請求項２１】
請求項２０に記載の撮像装置であって、
前記設置高さを外部へ伝送する通信部をさらに備える、撮像装置。
【請求項２２】
請求項１７又は請求項１８のいずれかに記載の撮像装置であって、
前記撮像装置の光軸の俯角を前記距離画像から得て画像処理を行う、撮像装置。
【請求項２３】
請求項２２に記載の撮像装置であって、
前記光軸の俯角を外部へ伝送する通信部をさらに備える、撮像装置。
【請求項２４】
前記映像に関する情報と前記距離画像に関する情報とを伝送する通信部をさらに備える請求項１に記載の撮像装置と、
前記映像に関する情報と前記距離画像に関する情報とを受信し連携させて情報処理を行う情報処理装置と、からなる撮像システム。
【請求項２５】
前記撮像装置又は前記情報処理装置は、前記映像及び前記距離画像から距離メタ情報を生成し、前記情報処理装置は、前記距離メタ情報を基に前記映像及び前記距離画像の検索を行う、
請求項２４に記載の撮像システム。
【請求項２６】
請求項１に記載の撮像装置と、前記映像に関する情報と前記距離画像に関する情報とを連携させて情報処理を行う情報処理装置と、により構成され、
前記撮像装置又は前記情報処理装置は、前記映像及び前記距離画像から距離メタ情報を生成し、前記情報処理装置は、前記距離メタ情報を基に前記映像及び前記距離画像の検索を行う、
撮像システム。
【請求項２７】
前記映像に関する情報と前記距離画像に関する情報とを伝送する通信部を備える請求項１に記載の撮像装置と通信可能な情報処理装置に記憶され、
前記映像に関する情報と前記距離画像に関する情報とを受信し連携させて情報処理を行う撮像制御プログラム。
【請求項２８】
前記撮像装置又は前記情報処理装置によって前記映像及び前記距離画像から生成された距離メタ情報を基に、前記映像及び前記距離画像の検索を行う、
請求項２７に記載の撮像制御プログラム。
【請求項２９】
請求項２７又は請求項２８に記載の撮像制御プログラムを格納する記憶媒体。
【発明の詳細な説明】
【技術分野】
【０００１】
本発明は、撮像範囲の監視と入退出のカウントを行う撮像装置、撮像システム、撮像制御方法、撮像制御プログラム、及び記録媒体に関するものである。
【背景技術】
【０００２】
近年、鉄道車両、バス、タクシー等の公共交通機関における防犯及び迷惑行為の事前察知等のために、それらの車内又は車外をカメラで監視するシステムが導入されている。このような監視システムの導入により、リアルタイムでの監視が可能となり、更にその撮像データのレコーダへの記録／蓄積と、レコーダに蓄積された撮像データの再生も可能となっている。
【０００３】
そして、特に鉄道車両のように多くの人数が乗車可能な車両において、特定の車両の混雑及びその混雑している車両への乗降時における混雑を緩和することを目的とする監視システムが開示されている（例えば特許文献１）。この監視システムは、車両内に設置された監視カメラにより撮像された映像データ又は画像データから人物を検出することにより、各車両の乗降人数又は混雑率を把握する。
【先行技術文献】
【特許文献】
【０００４】
【特許文献１】特開２０１３−２５５２３号公報
【発明の概要】
【発明が解決しようとする課題】
【０００５】
しかしながら上記従来の監視システムにおいては、監視カメラにより撮像された映像又は画像に映る人物の検出精度が低く、したがって各車両の乗降人数又は混雑率の算出精度が低い、という課題があった。
【０００６】
本発明の目的は、撮像範囲を監視しながら、入退出のカウント精度を充分に確保できる撮像装置、撮像システム、撮像制御プログラム、及びその撮像制御プログラムを格納する記録媒体を提供することである。
【課題を解決するための手段】
【０００７】
本発明の撮像装置は、映像光学系を介して撮像を行う撮像部と、距離画像光学系を介して撮像された画像を基に距離画像（ｄｅｐｔｈ  ｍａｐ）の生成を行う距離画像生成部と、前記撮像部により撮像される映像の画角と前記距離画像の画角とを設定する制御部と、を備える。
【０００８】
本発明の撮像システムは、前記映像に関する情報と前記距離画像に関する情報とを伝送する通信部を備える前記撮像装置と、前記映像に関する情報と前記距離画像に関する情報とを受信し連携させて情報処理を行う情報処理装置と、からなる。
【０００９】
本発明の撮像制御プログラムは、前記映像に関する情報と前記距離画像に関する情報とを伝送する通信部を備える前記撮像装置と通信可能な情報処理装置に記憶され、前記映像に関する情報と前記距離画像に関する情報とを受信し連携させて情報処理を行う。
【００１０】
本発明の記憶媒体は、撮像制御プログラムを格納する。
【発明の効果】
【００１１】
本発明によれば、撮像範囲を監視しながら、入退出のカウント精度を充分に確保できる。
【図面の簡単な説明】
【００１２】
【図１】第１実施形態における撮像システムの構成図
【図２】（Ａ）車両の天井の側から見た場合において、本第１実施形態の撮像システム１を構成する撮像装置の配置を示す透視図（Ｂ）車両の側面から見た場合において、本第１実施形態の撮像システムを構成する撮像装置の配置を示す透視図
【図３】撮像装置のハードウェア構成の例を示すブロック図
【図４】電子シャッタ制御を説明するタイミングチャート
【図５】（Ａ）図１の車両内における撮像装置の設置状況についての説明図（Ｂ）撮像装置により撮像される監視用映像の画角及び距離画像の画角の例を示す図
【図６】（Ａ）撮像装置により撮像される監視用映像の画角及び距離画像の画角の別例を示す図（Ｂ）撮像装置により撮像される監視用映像の画角及び距離画像の画角の別例を示す図
【図７】（Ａ）車両の天井の側から見た場合において、本第１実施形態の撮像システムを構成する撮像装置の配置を示す透視図（Ｂ）車両の側面から見た場合において、本第１実施形態の撮像システムを構成する撮像装置の配置を示す透視図
【図８】（Ａ）図１の車両２１内における撮像装置３Ｃの設置状況についての説明図（Ｂ）撮像装置３Ｃにより撮像される監視用映像の画角及び距離画像の画角の例を示す図
【発明を実施するための形態】
【００１３】
以下、本発明の実施の形態の情報処理装置について、図面を参照しながら説明する。なお、以下に説明する実施の形態は、本発明を実施する場合の一例を示すものであって、本発明を以下に説明する具体的構成に限定するものではない。本発明の実施にあたっては、実施の形態に応じた具体的構成が適宜採用されてよい。
【００１４】
（第１実施形態）
図１は、本第１実施形態の撮像システム１の構成図である。図２（Ａ）は、車両２の天井２Ａの側から見た場合において、本第１実施形態の撮像システム１を構成する撮像装置３Ａの配置を示す透視図である。図２（Ｂ）は、車両２の側面２Ｂから見た場合において、本第１実施形態の撮像システム１を構成する撮像装置３Ａの配置を示す透視図である。この撮像システム１において、例えば鉄道などの車両２は、車内に複数の撮像装置３Ａを備える。撮像装置３Ａは、車両２の内外の監視及び車両２を乗り降りする人などの対象物体５の計数を目的として、例えば車両２の車内において、扉４の上（天井２Ａの側）に設置される。
【００１５】
特に図１に示すように、撮像装置３Ａは、車両２が駅６（又は停留所）に到着し停車している間、例えば駅のホーム６Ａ（又は停留所）に設置されたアクセスポイントＡＰと通信可能である。駅６の構内には、アクセスポイントＡＰ及び構内ネットワーク７を介して撮像装置３Ａから受信した各種データを処理する構内情報処理装置８が設置される。撮像装置３Ｂは駅６の構内に設置され、構内ネットワーク７と接続されてもよい。そして駅６の構内には、アクセスポイントＡＰ及び構内ネットワーク７を介して撮像装置３Ａ，３Ｂから受信した各種データ、特に映像データ及び距離画像（ｄｅｐｔｈ  ｍａｐ）データを記録し蓄積するレコーダ９が接続される。構内情報処理装置８は、構内ネットワーク７を介して、レコーダ９に蓄積されたデータにアクセスし、各種の処理（特に画像処理）、編集又は集計を行うことが可能である。
【００１６】
アクセスポイントＡＰ、構内情報処理装置８、レコーダ９が接続される構内ネットワーク７は、ＧＷ１０を介して外部ネットワーク１１と接続される。外部ネットワークは、例えばインターネット、公衆電話回線網、専用電話回線、携帯電話回線網などのいずれかであってもよいし、それらのうち複数種類の網の組み合わせであってもよい。
【００１７】
さらに、例えば鉄道などの公共交通機関を運営する事業者の本社１３には中央管理サーバ１２が設置され、本社ネットワーク１３Ａ及びＧＷ１４を介して外部ネットワーク１１と接続される。中央管理サーバ１２は、ＧＷ１０及び１４、外部ネットワーク１１を介して、構内ネットワーク７に接続される構内情報処理装置８及びレコーダ９との通信を行うことが可能である。すなわち中央管理サーバ１２は、構内情報処理装置８又はレコーダ９に蓄積されたデータにアクセスし、各種の処理（特に画像処理）、編集、蓄積又は集計を行うことができる。逆に構内情報処理装置８は、自身が保有するデータ又はレコーダ９に蓄積されたデータを中央管理サーバ１２にアップロードすることができる。さらに中央管理サーバ１２は、ＧＷ１０及び１４、外部ネットワーク１１と、構内ネットワーク７に接続されたアクセスポイントＡＰを介して、車両２の車内又は駅６の構内に設置された撮像装置３Ａ，３Ｂとの通信を行い、撮像装置３Ａ又は３Ｂの撮像画像又は距離画像を見ることも可能である。
【００１８】
構内情報処理装置８及び中央管理サーバ１２は、例えば携帯電話回線網などの広域無線通信網を介して、車両２内に設置された撮像装置３Ａにアクセスし、その撮像画像により車両２の内外の様子を監視してもよい。また、車両２の運転士又は車掌は、車両２内又は可搬型の情報処理装置（図示せず）を用いて、例えば携帯電話回線網などの広域無線通信網又は車両２の車内通信網（図示せず）を介して撮像装置３Ａにアクセスし、その撮像画像により車両２の内外の様子を監視してもよい。
【００１９】
図３は、撮像装置３Ａ，３Ｂのハードウェア構成の例を示すブロック図である。本第１実施形態の撮像装置３Ａ，３Ｂは、車両２（図１参照）の車内を監視するための映像と、車両２を乗り降りする人及びその人が所持する荷物などの対象物体５（図１参照）を計数するための距離画像の両方を撮像することが可能である。距離画像は、ＴＯＦ（Ｔｉｍｅ  Ｏｆ  Ｆｌｉｇｈｔ）方式で生成される。又は、撮像装置３Ａ，３Ｂは、可視光により撮像を行う２つの光学系を備えたステレオタイプの撮像装置であってもよい。撮像装置３Ａ，３Ｂは、発光素子部３１と、発光／受光制御・駆動部３２と、受光素子部３３と、受光タイミング制御部３４と、タイミング生成部３５と、Ａ／Ｄ変換部３６と、を備えている。
【００２０】
発光素子部３１は、距離画像の撮像範囲に向けて赤外光を発光する。赤外光の発光のタイミング及び期間は、タイミング生成部３５が生成する発光駆動信号によって制御される。発光／受光制御・駆動部３２は、タイミング生成部３５からの発光駆動信号に従って発光素子部３１を駆動する。
【００２１】
本第１実施形態の撮像装置３Ａ，３Ｂに実装される受光素子部３３は、撮像光学系３３Ａを介して可視光を受光する赤色光（Ｒ）、緑色光（Ｇ）、青色光（Ｂ）の各受光素子及び赤外光を受光するＩＲ受光素子を、各画素に備える。ＩＲ受光素子は距離画像を生成するために設けられるもので、発光素子部３１から発光され、例えば車両２を乗り降りする人などの対象物体５（図１参照）、荷物又は車両２の構造物によって反射された赤外光を受光する。
【００２２】
受光素子部３３が受光した赤色光，緑色光，青色光，赤外光の各光は、受光タイミング制御部３４が備える光電変換素子（例えばＣＣＤなど）により、電気信号に変換され、出力される。それに加えて受光タイミング制御部３４は、発光素子部３１が出射した赤外光の反射体（例えば車両２を乗り降りする人などの対象物体５（図１参照））までの距離を算出する距離画像の生成を行うための電子シャッタ制御を行う。電子シャッタ、すなわち光電変換のタイミング及び期間は、タイミング生成部３５が生成する電子シャッタウィンドウ信号によって制御される。発光／受光制御・駆動部３２は、タイミング生成部３５からの電子シャッタウィンドウ信号に従って、受光タイミング制御部３４を駆動する。電子シャッタは、例えば、ＣＣＤのグローバルシャッタ、光学シャッタなどであり、これらに限定されない。
【００２３】
図４は、電子シャッタ制御を説明するタイミングチャートである。図４に示すように、発光駆動信号は、パルス波であり、一定の周期で駆動（ＨＩＧＨ：発光）と停止（ＬＯＷ：消灯）を繰り返す。発光素子部３１から発光される赤外光の実際の発光光量は、発光駆動信号の通りに立ち上がり、かつ立ち下がるものではなく、立ち上がり及び立ち下がりは滑らかになる。電子シャッタウィンドウ信号は、パルス波であり、発光駆動信号と同一の周期で駆動（ＨＩＧＨ）と停止（ＬＯＷ）を繰り返す。発光駆動信号と電子シャッタウィンドウ信号とは位相が同じであってよく、位相が若干ずれていてもよい（電子シャッタウィンドウ信号が発光駆動信号に若干遅れていてもよい）。
【００２４】
このような発光駆動信号及び電子シャッタウィンドウ信号によって発光素子部３１及び受光タイミング制御部３４をそれぞれ駆動することにより、図４に示すような赤外光の受光光量が得られる。発光素子部３１が赤外光を発光してから、その反射光が受光素子部３３の各画素において受光されるまでの時間が長い場合、電子シャッタウィンドウ信号の立ち上がりの期間に受光できる反射光の光量は小さくなる。すなわち、その画素が捉えている被写体部分の距離が情報処理処置から遠い場合には、電子シャッタウィンドウ信号の立ち上がりの期間に受光できる反射光の光量は小さくなる。逆に、発光素子部３１が赤外光を発光してから、その反射光が受光素子部３３の各画素において受光されるまでの時間が短い場合、電子シャッタウィンドウ信号の立ち上がりの期間にＣＣＤで受光できる反射光の光量は大きくなる。すなわち、その画素が捉えている被写体部分の距離が情報処理装置から近い場合には、電子シャッタウィンドウ信号の立ち上がりの期間にＣＣＤで受光できる反射光の光量は大きくなる。
【００２５】
したがって各画素が捉えている被写体部分（例えば車両２を乗り降りする対象物体５（図１参照））のまでの距離は、各画素において受光シャッタウィンドウ信号が立ち上がっている間に受光した赤外光の光量の積分値（すなわち、各画素の輝度値）の大小によって計測される。光電変換素子では、この赤外光の光量積分値が電気信号に変換される。この電気信号は、各画素について、それらの画素が捉えている被写体部分（例えば車両２を乗り降りする人などの対象物体５（図１参照））までの距離を示す。すなわち、各画素の赤外光の輝度値は、それらの画素が捉えている被写体部分（例えば車両２を乗り降りする人などの対象物体５（図１参照））までの距離を示す距離情報と等価である。
【００２６】
図４に示すように、発光素子部３１による赤外光の発光及び受光タイミング制御部３４による赤外光の光電変換（受光光量の積分）は、１つの距離画像を生成するために複数回行われてよい。この場合には、複数回の発光及び受光によって得られた輝度値を平均化し、かつ／又は中間の値を採用することにより、距離画像を生成するための各画素の輝度値を求めてよい。
【００２７】
図３に戻って、Ａ／Ｄ変換部３６は、受光タイミング制御部３４から出力された赤色光，緑色光，青色光，赤外光及び電子シャッタ制御によるその赤外光の積分値（輝度値）の各電気信号（アナログ信号）をデジタル信号に変換する。Ａ／Ｄ変換部３６によって変換された、それらのデジタル信号は、分離部３７に出力される。分離部３７は、それらのデジタル信号から電子シャッタ制御による赤外光の積分値（輝度値）を分離して、距離画像信号処理部３８に出力する。残された赤色光，緑色光，青色光，赤外光の各デジタル信号は、可視・ＩＲ画像信号処理部３９に出力される。
【００２８】
距離画像信号処理部３８は、電子シャッタ制御による赤外光の積分値（輝度値）を全画素について算出し、それらの積分値を基に距離画像を生成する。この距離画像は、各画素が捉えている被写体部分（例えば車両２を乗り降りする人などの対象物体５（図１参照））までの距離が規定された情報である。距離画像を生成する際には、距離の演算の他に、各種のフィルタ処理及び信号処理と、距離又は傾きの補正などが行われる。
【００２９】
距離画像が表示される際には、例えば、距離が遠い画素ほど濃度が低い濃淡画像として表示される。逆に、距離が近い画素ほど濃度が低い濃淡画像として表示されるようにしてもよい。距離画像信号処理部３８は、例えば身長、体格、所持する荷物の有無などからなる距離メタ情報を出力してもよい。
【００３０】
可視・ＩＲ画像信号処理部３９は、赤色光，緑色光，青色光の各デジタル信号から監視用の可視画像を生成し、赤外光のデジタル信号から監視用の赤外画像（以下「ＩＲ画像」）を生成する。ＩＲ画像は、室内の照明が行き届かないために生ずる暗がり部分を監視するのにも有効である。
【００３１】
対応付け処理部４０は、距離画像信号処理部３８により生成された距離画像と、可視・ＩＲ画像信号処理部３９により生成された可視画像及びＩＲ画像と、の対応付けを、それぞれの撮像時刻、撮像位置、画角等の対応付け情報を用いて行う。本第１実施形態の撮像装置３Ａ及び３Ｂは、対応付け処理部４０を備えることにより、距離画像、可視画像、ＩＲ画像の画像処理を連携させ、同時刻に同一の撮像装置３Ａによって撮像され生成された、これらの画像を同時に表示させることを可能とする。
【００３２】
本第１実施形態の撮像装置３Ａ及び３Ｂにおける監視用の画像（例えば可視画像、赤外画像）及び距離画像は、一つの受光素子部３３（センサ）によって生成されるが、異なる受光素子部によって、それぞれ生成されてもよい。すなわち、赤色光，緑色光，青色光の受光素子部と、赤外光の受光素子部とは異なっていてもよい。さらには、赤色光，緑色光，青色光の受光素子部と、赤外光の受光素子部に光を導入する光学系が、それぞれ独立に設けられてもよい。いずれにしても対応付け処理部４０は、特徴の異なるこれらの画像／映像、距離画像、ＩＲ画像のいずれか又はそれらの中の複数を組み合わせて、各種の測定や対象物の検知及びトラッキングの精度を向上させることができる。
【００３３】
受光素子部３３、受光タイミング制御部３４、Ａ／Ｄ変換部３６、分離部３７及び可視・ＩＲ画像信号処理部３９により構成される一点鎖線部分は、映像撮像部３０Ａである。これに対して、発光素子部３１、発光／受光制御・駆動部３２、受光素子部３３、受光タイミング制御部３４、タイミング生成部３５、Ａ／Ｄ変換部３６、分離部３７及び距離画像信号処理部３８により構成される点線部分は、距離画像生成部３０Ｂである。そのうち発光素子部３１及び受光素子部３３を除く構成が距離画像センサに相当する。発光素子部３１、発光／受光制御・駆動部３２、受光素子部３３、受光タイミング制御部３４、タイミング生成部３５、Ａ／Ｄ変換部３６及び分離部３７は、映像撮像部３０Ａと距離画像生成部３０Ｂの両方に用いられる。したがって本第１実施形態の撮像装置３Ａ，３Ｂのハードウェア構成は、上記の共通化により簡素化される。
【００３４】
撮像部３０Ａは、映像光学系である撮像光学系３３Ａを介して撮像し、距離画像生成部３０Ｂは、距離画像光学系である撮像光学系３３Ａを介して撮像し距離画像の生成を行う。すなわち、本第１実施形態の撮像装置３Ａ，３Ｂの映像光学系と距離画像光学系は共通化されて、１つの撮像光学系３３Ａとなっている。
【００３５】
記憶部４１は、距離画像信号処理部３８により生成された距離画像、可視・ＩＲ画像信号処理部３９により生成された可視画像及びＩＲ画像を記憶し蓄積する。同時刻に同一の撮像装置３Ａによって撮像され生成された距離画像、可視画像及びＩＲ画像は、対応付け処理部４０により生成される対応付け情報によって対応付けられた後、記憶部４１に記憶され、蓄積される。その際、後述するＣＰＵ４２によって生成される、例えば撮像された対象物体の身長又は大きさ、体格又は形状、所持する荷物の有無などからなる距離メタ情報が、対応付けられる距離画像、可視画像及びＩＲ画像と併せて、記憶部４１に記憶されてもよい。距離画像、可視画像及びＩＲ画像が対象物体の距離メタ情報を備えることによって、本第１実施形態の撮像システム１（図１参照）が備える、駅６の構内情報処理装置又は本社１３の中央管理サーバは、特定の人物又は荷物の検索が容易となる。
【００３６】
ＣＰＵ４２（中央演算装置）は、映像撮像部３０Ａ又は距離画像生成部３０Ｂを構成する各ブロックと、距離画像信号処理部３８、対応付け処理部４０、記憶部４１及び後述する通信部４３の各ブロックの制御部である。ＣＰＵ４２が各ブロックを制御するためのソフトウェア・プログラムは、先の記憶部４１に格納されてもよいし、図示しない別の記憶部に格納されてもよい。ＣＰＵ４２は、記憶部からソフトウェア・プログラムを読み出して、各ブロックの制御を行う。さらに、前述したように、ＣＰＵ４２は、例えば身長、体格、所持する荷物の有無などからなる距離メタ情報を生成してもよい。
【００３７】
通信部４３は、図１において駅６に設置される構内情報処理装置８又は本社１３（図１参照）等に設置される中央管理サーバ１２との通信を可能とする。そのために図３における通信部４３は、任意の通信路４４、例えば図１において構内ネットワーク７に設置されるアクセスポイントＡＰとの無線ＬＡＮ通信、或いは携帯電話回線網などの広域無線通信網又は車両２の車内通信網（図示せず）を用いる。
【００３８】
本第１実施形態の撮像装置３及びその撮像装置３を備える撮像システムの特徴点は、以下の通りである。図５（Ａ）は、図１の車両２内における撮像装置３Ａの設置状況についての説明図である。図５（Ｂ）は、撮像装置３Ａにより撮像される監視用映像の画角及び距離画像の画角の例を示す図である。図６（Ａ）は、撮像装置３Ａにより撮像される監視用映像の画角及び距離画像の画角の別例を示す図である。図６（Ｂ）は、撮像装置３Ａにより撮像される監視用映像の画角及び距離画像の画角の別例を示す図である。
【００３９】
図１でも述べたように、図５（Ａ）に示す撮像装置３Ａは、車両２の内外の監視及び車両２を乗り降りする人などの対象物体５の計数を目的として、例えば車両２の車内において、扉４の上（天井２Ａの側）に設置される。扉４は通常、１つの車両２に複数設けられるので、その扉４の上に設置される撮像装置３Ａも、１つの車両２に複数設置される。そして図３でも述べたように、撮像装置３Ａは、車両２の内外を監視するための映像と、車両２を乗り降りする人、すなわち出入りする対象物体５（例えば５Ａ）を計数するための距離画像の両方を撮像することが可能である。
【００４０】
撮像装置３Ａは、車両２の扉４（出入口）の面（又は車両２の側面２Ｂ）及び床面２Ｄと平行をなす方向から見た撮像光学系３３Ａの光軸３Ｌが扉４における床面２Ｄの法線に対して車両２の車内側（室内側）に傾けられて配置される。典型的には、本第１実施形態の撮像装置３Ａは、その光軸３Ｌと車両２の床面２Ｄとがなす角度、すなわち俯角が４５度となるよう配置されているが、それ以外の角度に設定されてもよい。距離画像は、車両２を出入りする対象物体５（例えば５Ａ）を計数するために用いられるので、その撮像は扉４が開いた状態の時に行われる。その際に、車両２内（室内）には、特に晴天時において車両２の車内よりも明るく強い光が、扉４の外から差し込む。撮像装置３Ａの撮像光学系３３Ａの光軸３Ｌが車両２の車内側（室内側）に傾けられることによって、開いた扉４の外から差し込む光の影響が抑制され、出入りする対象物体５を距離画像から検出する精度及び計数の精度を確保することができる。
【００４１】
撮像装置３Ａは、監視用映像と距離画像を用いて、撮像光学系３３Ａを構成するレンズの焦点距離ｆ、受光素子部３３のサイズ・解像度・画素ピッチ、撮像装置３Ａの俯角及び床面２Ｄからの高さを基に、撮像装置３Ａから検出対象の対象物体５までの距離を算出できる。又は撮像装置３Ａは、監視用映像と距離画像を用いて、撮像光学系３３Ａを構成するレンズの焦点距離ｆ、受光素子部３３のサイズ・解像度・画素ピッチ、撮像装置３Ａの俯角及び床面２Ｄからの高さを基に、検出対象の対象物体５の床面２Ｄからの高さを算出できる。
【００４２】
それに加えて、撮像装置３Ａによる車両２の内外の監視についても、撮像装置３Ａの撮像光学系３３Ａの光軸３Ｌが車両２の車内側（室内側）に傾けられることによって、撮像装置３Ａの撮像範囲及び画角は、より有効に車両２内（室内）の監視が行われるよう設定される。したがって撮像装置３Ａ及びそれを備える撮像システム１（図１参照）の操作者は、車両２の内外の監視と、車両２を出入りする対象物体５の計数を、１箇所につき１つの撮像装置３Ａによって行うことができる。
【００４３】
上記のように撮像装置３Ａは、車両２の内外を監視するための映像と、車両２を乗り降りする人などの対象物体５Ａ及び５Ｂを計数するための距離画像の両方を、同時に撮像することができる。図５（Ａ）のＳ１１は、車両２の扉４（出入口）の面（又は車両２の側面２Ｂ）及び床面２Ｄと平行をなす方向から見て、撮像装置３Ａが撮像可能な最大範囲である。撮像装置３Ａの制御部は、車両２の扉４（出入口）の面（又は車両２の側面２Ｂ）及び床面２Ｄと平行をなす方向から見た画角（以下、「画角」と略す）として、監視用映像の画角と距離画像の画角とを設定してもよい。さらには、監視用映像の画角と距離画像の画角とは異なってもよい。さらに撮像装置３Ａは、監視用映像の画角又は距離画像の画角を、調整可能としてもよい。撮像装置３Ａ及びそれを備える撮像システム１（図１参照）の操作者は、車両２の内外の監視と、車両２を出入りする対象物体５の計数を、それぞれ、より適した条件及び撮像範囲で行うことができる。そして操作者は、出入りする対象物体５を距離画像から検出する精度及び計数の精度を確保することができる。
【００４４】
図３でも示したように、図５（Ａ）の撮像装置３Ａの受光素子部３３は、可視光を受光する赤色光（Ｒ）、緑色光（Ｇ）、青色光（Ｂ）の各受光素子及び赤外光を受光するＩＲ受光素子を、各画素に備える。すなわち、車両２の内外を監視するための映像と、車両２を乗り降りする人などの対象物体５を計数するための距離画像は、１つの受光素子部３３によって同時に撮像される。それに加えて、図３に示す撮像部３０Ａは、映像光学系である撮像光学系３３Ａを介して撮像し、図３に示す距離画像生成部３０Ｂは、距離画像光学系である撮像光学系３３Ａを介して撮像し距離画像の生成を行う。すなわち、図３及び図５に示すように、本第１実施形態の撮像装置３Ａ，３Ｂの映像光学系と距離画像光学系は共通化されて、１つの撮像光学系３３Ａとなっている。したがって、監視用映像の撮像光学系の光軸と距離画像の撮像光学系の光軸は同一である。撮像光学系は簡素化され、監視用の映像と、対象物体５を計数するための距離画像との間において、車両２の扉４（出入口）の面（又は車両２の側面２Ｂ）及び床面２Ｄと平行をなす方向の撮像位置にズレは生じない。したがって撮像装置３Ａ及びそれを備える撮像システム１（図１参照）の操作者は、出入りする対象物体５を距離画像から検出する精度及び計数の精度を確保することができる。さらに、対応付け処理部４０（図３参照）による、監視用映像と距離画像との対応付け処理は簡素化される。
【００４５】
本第１実施形態とは別に、撮像装置３Ａ，３Ｂの映像光学系と距離画像光学系とは、異なる撮像光学系であってもよい。さらには、車両２の内外を監視するための映像を撮像するための受光素子部と、車両２を乗り降りする人などの対象物体５を計数するための距離画像を撮像し生成するための受光素子部とは、異なっていてもよい。その場合の撮像装置３Ａ，３Ｂは、映像光学系の光軸と距離画像光学系の光軸とが、車両２の扉４（出入口面）及び床面２Ｄと平行をなす方向から見て、互いに平行となるよう構成される。上記の構成によって、対応付け処理部４０（図３参照）による、監視用映像と距離画像との対応付け処理は簡素化される。そして、撮像装置３Ａ及びそれを備える撮像システム１（図１参照）の操作者は、出入りする対象物体５を距離画像から検出する精度及び計数の精度を確保することができる。
【００４６】
本第１実施形態の撮像装置３Ａは、監視用映像の画角及び距離画像の画角を、例えば図５（Ｂ）、図６（Ａ）及び図６（Ｂ）のように設定する。図５（Ｂ）、図６（Ａ）及び図６（Ｂ）において、点線は撮像装置３Ａが撮像可能な最大範囲（以下「最大撮像可能範囲」を示し、実線は監視用映像の画角を示し、二点鎖線は距離画像の画角を示す。
【００４７】
図５（Ｂ）は、監視用映像の画角Ｓ２１（実線）と、距離画像の画角Ｓ３１（二点鎖線）とが、撮像装置３Ａの最大撮像可能範囲Ｓ１１の中で完全に分離している状態を示す。すなわち、撮像装置３Ａは、車両２（室内）の扉４（出入口）の面（又は車両２の側面２Ｂ）及び床面２Ｄと平行をなす方向から見た映像の画角Ｓ２１と、同じ方向から見た距離画像の画角Ｓ３１とを、異ならせて設定する。そして撮像装置３Ａは、映像の画角Ｓ２１の中心Ｃ２１を、前記距離画像の画角Ｓ３１の中心Ｃ３１よりも車両２の車内側（室内の側）、すなわち扉４（出入口）とは反対側に傾けて設定する。
【００４８】
監視用映像の画角Ｓ２１（実線）は、車両２の監視に適した方向に撮像範囲が設定され、距離画像の画角Ｓ３１（二点鎖線）は、車両２を出入りする人などの対象物体５の計数に適した方向に撮像範囲が設定される。したがって、撮像装置３Ａ及びそれを備える撮像システム１（図１参照）の操作者は、車両２の内外の監視と、車両２を出入りする対象物体５の計数を、それぞれ、より適した条件及び撮像範囲で行うことができる。そして操作者は、出入りする対象物体５を距離画像から検出する精度及び計数の精度を確保することができる。
【００４９】
撮像装置３Ａは、距離画像の画角Ｓ３１の中心Ｃ３１を、車両２内（室内）の扉４（出入口）における床面２Ｄの法線方向２ＤＶに、又はそれよりも車両２の車内側（扉４（出入口）とは反対側）に傾けて設定してよい。図５（Ａ）の距離画像の画角Ｓ３１の中心Ｃ３１は、床面２Ｄの法線方向２ＤＶとは略同一だが、それよりも車両２の車内側（扉４とは反対側）に若干傾けて設定されている。さらに撮像装置３Ａは、距離画像の画角Ｓ３１を、映像の画角Ｓ２１よりも狭く設定する。
【００５０】
距離画像の画角Ｓ３１の中心Ｃ３１が床面２Ｄの法線方向２ＤＶと略同一に設定され、距離画像の画角Ｓ３１が狭く設定されることにより、開いた扉４の外から差し込む光の影響が抑制される。したがって、撮像装置３Ａ及びそれを備える撮像システム１（図１参照）の操作者は、出入りする対象物体５を距離画像から検出する精度及び計数の精度を確保することができる。
【００５１】
図６（Ａ）は、撮像装置３Ａが、距離画像（二点鎖線）の画角Ｓ３１を、監視用映像（実線）の画角Ｓ２１の内側に設定し、監視用映像の画角Ｓ２１（実線）を、撮像装置３Ａの最大撮像可能範囲Ｓ１１と同一に設定している状態を示す。撮像装置３Ａ及びそれを備える撮像システム１（図１参照）の操作者は、図５（Ｂ）の状態より、さらに広い範囲を監視することが可能となり、それでいながら、出入りする対象物体５を距離画像から検出する精度及び計数の精度を確保することができる。
【００５２】
図６（Ａ）では、車両２の扉４（出入口）の面（又は車両２の側面２Ｂ）及び床面２Ｄと平行をなす方向において、距離画像（二点鎖線）の幅が監視用映像（実線）の幅よりも小さく、かつ距離画像が監視用映像の内側に設定されている。撮像装置３Ａは、車両２の扉４（出入口）の面（又は車両２の側面２Ｂ）及び床面２Ｄと平行をなす方向における、距離画像の幅と監視用映像の幅を同一にして、その幅方向の位置を一致させてもよい。
【００５３】
図５（Ｂ）及び図６（Ａ）では、画像又は映像の幅方向（車両２の扉４（出入口）の面（又は車両２の側面２Ｂ）及び床面２Ｄと平行をなす方向、車両２の奥行方向）における、距離画像（二点鎖線）及び監視用映像（実線）の中心は、中心線Ｖと一致している。中心線Ｖは、車両２の幅方向、すなわち車両２の扉４（出入口）の面（又は車両２の側面２Ｂ）及び床面２Ｄと平行をなす方向に対して直交する方向である。本第１実施形態の撮像装置３Ａ，３Ｂは、これに限らず、図６（Ｂ）に示すように、監視用映像の中心線Ｖ１と距離画像の中心線Ｖ２とを、画像又は映像の幅方向にずらして設定してもよい。さらには、撮像装置３Ａ，３Ｂは、監視用映像の一部分と距離画像の一部分とが、互いに重なるように設定してもよい。それに加えて、撮像装置３Ａ，３Ｂは、監視用映像の画角及び／又は距離画像の画角を、随時調整・変更してもよい。撮像装置３Ａ及びそれを備える撮像システム１（図１参照）の操作者は、監視用映像及び／又は距離画像の最適な撮像範囲を、状況に応じてリアルタイムに設定することができる。それでいながら、出入りする対象物体５を距離画像から検出する精度及び計数の精度を確保することができる。
【００５４】
（第２実施形態）
図７（Ａ）は、車両２１の天井の側から見た場合において、本第２実施形態の撮像システム１を構成する撮像装置３Ｃの配置を示す透視図である。図７（Ｂ）は、車両２１の側面から見た場合において、本第２実施形態の撮像システム１を構成する撮像装置３Ｃの配置を示す透視図である。図８（Ａ）は、図１の車両２１内における撮像装置３Ｃの設置状況についての説明図である。図８（Ｂ）は、撮像装置３Ｃにより撮像される監視用映像の画角及び距離画像の画角の例を示す図である。図８（Ｃ）は、撮像装置３Ｃにより撮像される監視用映像の画角及び距離画像の画角の別例を示す図である。
【００５５】
図７（Ａ）、図７（Ｂ）、図８（Ａ）、図８（Ｂ）及び図８（Ｃ）（以下、「図７及び図８」と略す）において、撮像装置３Ｃ  の構成は、図１〜図６における第１実施形態の撮像装置３Ａとほぼ同一である。そして図７（Ａ）及び図８（Ａ）に示すように、撮像装置３Ｃは、例えば撮像装置３Ａとともに（又は、撮像装置３Ａと同様に）、図１に示す撮像システム１において用いられる。ただし、撮像装置３Ａが車両２１内の扉２４の上（天井２１Ａの側）に設置されるに配置されるのに対して、図７及び図８に示す撮像装置３Ｃは、車両２１と車両２２との連結通路２３の上（天井部２３Ａの側）に配置される。
【００５６】
本第２実施形態の撮像装置３Ａ及び３Ｃが配置される車両２１及び２２は、扉２４が設けられる出入口の数が少ない。左側の車両２１は出入口を２つのみ備え、右側の車両２２には出入口が図示されていない（又は、右側の車両２２には出入口が無い場合もある）。右側の車両２２のコンパートメント２２Ｌに入る乗客は、例えば右側の車両２２の出入口（図示せず）から乗車して、左側の車両２１の扉２４が設けられる出入口から降車することがある。或いは、右側の車両２２のコンパートメント２２Ｌに入る乗客は、上記と逆に乗降することがある。すなわち、右側の車両２２のコンパートメント２２Ｌに入る乗客が乗車に用いる出入口のある車両と降車に用いる出入口のある車両とは、異なることがある。左側の車両２１のコンパートメント２１Ｌのいずれかに入る乗客についても、右側の車両２２のコンパートメント２２Ｌに入る乗客と同様に、乗車に用いる車両の出入口と降車に用いる車両の出入口とは異なることがある。
【００５７】
乗車に用いる車両の出入口と降車に用いる車両の出入口とが異なる乗客は、必然的に連結通路（例えば車両２１と車両２２との連結通路２３）を通って車両間を移動する。このような乗客の列車内での動きを、より正確に把握するために、撮像装置３Ｃは、車両間の連結通路（例えば車両２１と車両２２との連結通路２３）の上（天井部２３Ａの側）に配置される。
【００５８】
撮像装置３Ｃは、全方位型カメラであることが望ましい。そして図８（Ｂ）又は図８（Ｃ）に示すように、撮像装置３Ｃは、距離画像（二点鎖線）の画角Ｓ３２Ａ及びＳ３２Ｂの一部又は全部を、監視用映像（実線）の画角Ｓ２２の内側に設定してもよい。さらには、撮像装置３Ｃは、監視用映像の画角又は距離画像の画角を、調整可能としてもよい。撮像装置３Ｃ及びそれを備える撮像システム１（図１参照）の操作者は、連結通路２３と、その前後の車両２１及び２２内に跨る広い範囲を監視することが可能となる。それでいながら操作者は、出入りする対象物体５を距離画像から検出する精度及び計数の精度を確保することができる。すなわち操作者は、連結通路２３と、その前後の車両２１及び２２内に跨る広い範囲の監視と、車両２１及び２２を出入りする対象物体５の計数を、それぞれ、より適した条件及び撮像範囲で行うことができる。
【００５９】
（第３実施形態）
本第３実施形態は、先の第１実施形態及び第２実施形態の双方に基づくものである。図１に示す撮像システム１の構内情報処理装置８又は中央管理サーバ１２は、図１又は図７の各撮像装置３Ａ及び図７の各撮像装置３Ｃにより撮像される距離画像を用いて、又は監視用映像及び距離画像を連携させて、画像処理を始めとする各種の処理を行う。その際、撮像装置３Ａ及び３Ｃは、撮像装置３Ａの床面２Ｄからの高さを距離画像から得て、画像処理を行う。又は、撮像装置３Ａ及び３Ｃは、光軸３Ｌの俯角を距離画像から得て、画像処理を行う。
【００６０】
そして撮像装置３Ａ及び３Ｃは、撮像光学系３３Ａを構成するレンズの焦点距離、受光素子部３３のサイズ・解像度・画素ピッチ、撮像装置３Ａ及び３Ｃの俯角及び床面２Ｄからの高さを基に、撮像装置３Ａ及び３Ｃから検出対象の対象物体５までの距離を算出できる。又は、撮像装置３Ａ及び３Ｃは、撮像光学系３３Ａを構成するレンズの焦点距離ｆ、受光素子部３３のサイズ・解像度・画素ピッチ、撮像装置３Ａ及び３Ｃの俯角及び床面２Ｄからの高さを基に、検出対象の対象物体５の床面２Ｄからの高さを算出できる。
【００６１】
或いは、撮像装置３Ａ及び３Ｃが、それらの画像処理又は算出を行ってもよい。そして撮像装置３Ａ及び３Ｃは、得られた算出結果（撮像装置３Ａ及び３Ｃから検出対象の対象物体５までの距離、検出対象の対象物体５の床面２Ｄからの高さなど）を、撮像装置３Ａ及び３Ｃ内の図示しない記憶部に一時的に記憶させながら順次伝送してもよい。又は、図１の構内情報処理装置８又は中央管理サーバ１２は、撮像装置３Ａ及び３Ｃによって得られた算出結果を、監視用映像又は距離画像或いはそれらの画像情報に付与して活用してもよい。図１に示す撮像システム１の操作者は、乗車に用いる出入口と降車に用いる出入口とが異なる乗客の列車内での動きを、より正確に把握することができる。又は、撮像システム１の操作者は、乗車に用いる車両と降車に用いる車両とが異なる乗客の列車内での動きを、より正確に把握することができる。
【００６２】
例えば、図１の構内情報処理装置８又は中央管理サーバ１２は、図１、図７（Ａ）、図８（Ａ）の撮像装置３Ａ、図７（Ａ）、図８（Ａ）の撮像装置３Ｃにより、それぞれ撮像され伝送される距離画像を用いて画像処理を行い、それらの特徴量から移動軌跡を得てもよい。又は、図１の構内情報処理装置８又は中央管理サーバ１２は、それらの特徴量から、画像中に存在する人などの対象物体５を計数してもよい。
【００６３】
或いは、撮像装置３Ａ及び３Ｃが距離画像の画像処理を行い、その特徴量から得られる移動軌跡又は画像中の対象物体５の数を、記憶部４１に一時的に記憶させながら、通信部４３を介して、図１の構内情報処理装置８又は中央管理サーバ１２に順次伝送してもよい。そして、構内情報処理装置８又は中央管理サーバ１２は、各撮像装置３Ａ及び３Ｃが行った画像処理の結果を受信して、それら画像処理の各結果を連携させる処理を行ってもよい。そのような処理方法によって、各撮像装置３Ａ及び３Ｃと、構内情報処理装置８又は中央管理サーバ１２との間で送受信されるデータ量が削減され、図１に示す構内ネットワーク７及び外部ネットワーク１１におけるトラフィックの負荷が軽減される。
【００６４】
図１の構内情報処理装置８又は中央管理サーバ１２は、撮像装置３Ａ及び３Ｃの距離画像の画角及び／又は映像の画角を、自身の表示モニタ（図示せず）に表示させて、操作者がその表示モニタを見ながらそれぞれの画角を調整可能としてもよい。例えば操作者は、撮像装置３Ａ及び３Ｃの距離画像の画角の水平及び／又は垂直位置を調整可能としてもよい。そして撮像装置３Ａ及び３Ｃは、距離画像から撮像装置３Ａ及び３Ｃの直下方向（例えば図５（Ａ）又は図８（Ａ）におけるマイナスＨ方向）を抽出して、対象物体５の計数ラインを自動設定してもよい。又は、撮像装置３Ａ及び３Ｃは、距離画像から扉４（図５（Ａ）参照）の下端を検出して、対象物体５の計数ラインを自動設定してもよい。操作者は、車両２、２１及び２２内（室内）の監視と、車両２、２１及び２２を出入りする対象物体５の計数を、それぞれ、より適した条件及び撮像範囲で行うことができる。そして操作者は、出入りする対象物体５を距離画像から検出する精度及び対象物体５の計数の精度を確保することができる。車両２、２１及び２２を出入りする対象物体５の計数を、それぞれ、より適した条件及び撮像範囲で行うことができる。
【００６５】
（本発明の一態様の概要）
本発明の一態様の撮像装置は、映像光学系を介して撮像を行う撮像部と、距離画像光学系を介して撮像された画像を基に距離画像（ｄｅｐｔｈ  ｍａｐ）の生成を行う距離画像生成部と、前記撮像部により撮像される映像の画角と前記距離画像の画角とを設定する制御部と、を備える。
【００６６】
本発明の一態様の撮像装置の前記制御部は、前記映像の画角と前記距離画像の画角とを異ならせて設定してもよい。
【００６７】
本発明の一態様の撮像装置の前記制御部は、前記距離画像の画角を前記映像の画角の内側に設定してもよい。
【００６８】
本発明の一態様の撮像装置は、前記映像光学系の光軸と前記距離画像光学系の光軸とが同一であってもよい。
【００６９】
本発明の一態様の撮像装置は、前記映像光学系の光軸と前記距離画像光学系の光軸とが平行であってもよい。
【００７０】
これらの構成によれば、撮像範囲を監視しながら、入退出のカウント精度を充分に確保できる。
【００７１】
本発明の一態様の撮像装置は、前記映像と前記距離画像との対応付け処理部をさらに備えてもよい。
【００７２】
本発明の一態様の撮像装置の制御部は、前記映像及び前記距離画像から距離メタ情報を生成してもよい。
【００７３】
本発明の一態様の撮像装置は、前記制御部が生成した前記距離メタ情報と、前記映像及び前記距離画像とを対応付けて記憶させる記憶部をさらに備えてもよい。
【００７４】
これらの構成によれば、生成された距離メタ情報により、対応づけられる映像及び距離画像の検索が容易となる。
【００７５】
本発明の一態様の撮像装置は、撮像対象の室内の出入口近傍の上部に設けられ、前記室内の出入口面及び床面と平行をなす方向から見た前記映像光学系及び前記距離画像光学系の光軸が前記出入口における前記床面の法線方向に対して前記室内側に傾けられて配置されてもよい。
【００７６】
この構成によれば、光学部の光軸が、室内側に傾けて設定されることにより、外光が抑制されるので、室内を出入する対象物体の計数を行うための距離画像への影響が小さくなる。したがって操作者は、室内の監視と室内を出入する対象物体の計数を一つの撮像装置で行うことができる（⇒台数、配線数、設置のための工数削減）とともに、室内を出入する対象物体の検出精度及び計数精度が向上する。
【００７７】
本発明の一態様の撮像装置の前記制御部は、前記室内の出入口面及び床面と平行をなす方向から見た前記映像の画角と、前記室内の出入口面及び床面と平行をなす方向から見た前記距離画像の画角とを、異ならせて設定してもよい。
【００７８】
この構成によれば、室内の監視と、室内に出入する対象物体の計数とが、より有効かつ適切に行われるとともに、室内の監視が、より適切に行われる。
【００７９】
本発明の一態様の撮像装置の前記制御部は、前記映像の画角の中心を、前記距離画像の画角の中心よりも前記室内の側に傾けて設定してもよい。
【００８０】
この構成によれば、室内の監視と、室内に出入する対象物体の計数とが、より有効かつ適切に行われるとともに、室内の監視が、より適切に行われる。それに加えて、出入する対象物体が生体である場合は、室内から出ようとする対象物体の顔を撮影して、身長などの距離メタ情報と、顔画像との組み合わせメタ情報の作成が容易となる。
【００８１】
本発明の一態様の撮像装置の前記制御部は、前記映像の画角の中心を、前記距離画像の画角の中心よりも前記室内とは反対側に傾けて設定してもよい。
【００８２】
この構成によれば、室内外の監視と、室内に出入する対象物体の計数とが、有効かつ適切に行われる。それに加えて、出入する対象物体が生体である場合は、室内に入ろうとする対象物体の顔を撮影して、身長などの距離メタ情報と、顔画像との組み合わせメタ情報の作成が容易となる。
【００８３】
本発明の一態様の撮像装置の前記制御部は、前記距離画像の画角の中心を、前記室内の出入口における前記床面の法線方向に、又はそれよりも前記室内の側に傾けて設定してもよい。
【００８４】
これによって、室内に出入する対象物体の出精度及び計数精度がさらに向上する。
【００８５】
本発明の一態様の撮像装置の前記制御部は、前記距離画像の画角の中心を、前記室内の出入口における前記床面の法線方向に、又はそれよりも前記出入口とは反対側に傾けて設定してもよい。
【００８６】
これによって、室内に出入する対象物体の検出精度及び計数精度がさらに向上する。
【００８７】
本発明の一態様の撮像装置の前記制御部は、前記距離画像の画角を、前記映像の画角よりも狭く設定してもよい。
【００８８】
この構成によれば、室内に出入する対象物体の出精度及び計数精度がさらに向上するとともに、室内の監視が、より適切に行われる。
【００８９】
本発明の一態様の撮像装置の前記制御部は、前記距離画像の画角を前記映像の画角の内側に設定してもよい。
【００９０】
本発明の一態様の撮像装置は、前記距離画像を用いて画像処理を行ってもよい。
【００９１】
本発明の一態様の撮像装置は、前記映像及び前記距離画像を連携させて画像処理を行ってもよい。
【００９２】
本発明の一態様の撮像装置は、前記画像処理の結果を外部へ伝送する通信部をさらに備えてもよい。
【００９３】
本発明の一態様の撮像装置は、前記撮像装置の設置高さを距離画像から得て画像処理を行ってもよい。
【００９４】
本発明の一態様の撮像装置は、前記設置高さを外部へ伝送する通信部をさらに備えてもよい。
【００９５】
本発明の一態様の撮像装置は、前記撮像装置の光軸の俯角を距離画像から得て画像処理を行ってもよい。
【００９６】
本発明の一態様の撮像装置は、前記光軸の俯角を外部へ伝送する通信部をさらに備えてもよい。
【００９７】
本発明の一態様の撮像システムは、映像光学系を介して撮像を行う撮像部と、距離画像光学系を介して撮像された画像を基に距離画像（ｄｅｐｔｈ  ｍａｐ）の生成を行う距離画像生成部と、前記撮像部により撮像される映像の画角と前記距離画像の画角とを設定する制御部と、前記映像に関する情報と前記距離画像に関する情報とを伝送する通信部と、を備える撮像装置と、前記映像に関する情報と前記距離画像に関する情報とを受信し連携させて情報処理を行う情報処理装置と、からなる。
【００９８】
本発明の一態様の撮像システムは、前記撮像装置又は前記情報処理装置は、前記映像及び前記距離画像から距離メタ情報を生成し、前記情報処理装置は、前記距離メタ情報を基に前記映像及び前記距離画像の検索を行ってもよい。
【００９９】
本発明の一態様の撮像システムは、映像光学系を介して撮像を行う撮像部と、距離画像光学系を介して撮像された画像を基に距離画像（ｄｅｐｔｈ  ｍａｐ）の生成を行う距離画像生成部と、前記撮像部により撮像される映像の画角と前記距離画像の画角とを設定する制御部と、を備える撮像装置と、前記映像に関する情報と前記距離画像に関する情報とを連携させて情報処理を行う情報処理装置と、により構成され、
前記撮像装置又は前記情報処理装置は、前記映像及び前記距離画像から距離メタ情報を生成し、前記情報処理装置は、前記距離メタ情報を基に前記映像及び前記距離画像の検索を行ってもよい。
【０１００】
本発明の一態様の撮像制御プログラムは、映像光学系を介して撮像を行う撮像部と、距離画像光学系を介して撮像された画像を基に距離画像（ｄｅｐｔｈ  ｍａｐ）の生成を行う距離画像生成部と、前記撮像部により撮像される映像の画角と前記距離画像の画角とを設定する制御部と、前記映像に関する情報と前記距離画像に関する情報とを伝送する通信部と、を備える撮像装置と通信可能な情報処理装置に記憶され、前記映像に関する情報と前記距離画像に関する情報とを受信し連携させて情報処理を行う。
【０１０１】
本発明の一態様の撮像制御プログラムは、前記撮像装置又は前記情報処理装置によって前記映像及び前記距離画像から生成された距離メタ情報を基に、前記映像及び前記距離画像の検索を行ってもよい。
【０１０２】
本発明の一態様の記憶媒体は、上記の撮像制御プログラムを格納する。
【０１０３】
以上の構成により、本発明の撮像装置、撮像システム及びその撮像制御プログラムの操作者は、車両内（室内）の監視と、車両を出入りする対象物体の計数を、１箇所につき１つの撮像装置によって行うことができる。すなわち操作者は、車両内（室内）の広い範囲の監視と、車両を出入りする対象物体の計数を、それぞれ、より適した条件及び撮像範囲で行うことができる。さらに操作者は、出入りする対象物体を距離画像から検出する精度及び計数の精度を確保することができる。監視用映像と距離画像との対応付け処理は簡素化される。そしてさらに操作者は、監視用映像及び／又は距離画像の最適な撮像範囲を、状況に応じてリアルタイムに設定することができる。各撮像装置と、情報処理装置又は中央管理サーバとの間で送受信されるデータ量は削減され、構内ネットワーク及び外部ネットワークにおけるトラフィックの負荷は軽減される。したがって、特定の車両（室内）の混雑（及びその混雑している車両への乗降時における混雑）を緩和することができる。
【産業上の利用可能性】
【０１０４】
本発明の撮像装置、撮像システム及びその撮像制御プログラムは例えば、車両又は室内を監視するとともに、撮像された映像データから人物を検出し、車両又は室内を出入する人数を計数する監視カメラ、それを備える監視システム又はその監視システムを構成する装置上で動作する撮像制御プログラムとして有用である。
【符号の説明】
【０１０５】
１  撮像システム
２  車両
２，２１，２２  車両（室内）
２Ａ，２１Ａ  天井
２Ｂ  側面
２Ｄ  床面
２ＤＶ  法線方向
３，３Ａ，３Ｂ，３Ｃ  撮像装置
３Ｌ  光軸
４，２４  扉
５，５Ａ，５Ｂ  対象物体
６  駅
６Ａ  ホーム
７  構内ネットワーク
８  構内情報処理装置
９  レコーダ
１０，１４  ＧＷ（ゲートウェイ）
１１  外部ネットワーク
１２  中央管理サーバ
１３  本社
１３Ａ  本社ネットワーク
２１Ｌ，２２Ｌ  コンパートメント
２３  連結通路
２３Ａ  天井部
３０Ａ  映像撮像部
３０Ｂ  距離画像生成部
３１  発光素子部
３２  発光／受光制御・駆動部
３３  受光素子部
３３Ａ  撮像光学系
３４  受光タイミング制御部
３５  タイミング生成部
３６  Ａ／Ｄ変換部
３７  分離部
３８  距離画像信号処理部
３９  可視・ＩＲ画像信号処理部
４０  対応付け処理部
４１  記憶部
４２  ＣＰＵ（中央演算装置）
４３  通信部
４４  通信路
ＡＰ  アクセスポイント
Ｃ２１，Ｃ３１  中心
Ｓ１１  最大撮像可能範囲
Ｓ２１，Ｓ２２，Ｓ３１，Ｓ３２Ａ，Ｓ３２Ｂ  画角
Ｖ，Ｖ１，Ｖ２  中心線
【図１】
2016063455.tif 000003
【図２】
2016063455.tif 000004
【図３】
2016063455.tif 000005
【図４】
2016063455.tif 000006
【図５】
2016063455.tif 000007
【図６】
2016063455.tif 000008
【図７】
2016063455.tif 000009
【図８】
2016063455.tif 000010